(57)【要約】【課題】鍵の開閉動作のみで施錠状態の表示と保持が容易にできる小型薄型の施錠確認表示装置を提供する。【解決手段】、ケース端部のバネにて可動するＬ字状のスライド板に遊動表示体を収容し、鍵の抜き差しで移動する遊動表示体をスライド板とケース側部とで挟着して固定できるようにし、鍵の開閉の際の回転で移動する遊動表示体の位置により施錠状態が表示できるように構成にした。【選択図】図１
0003134156.tif 000002
【実用新案登録請求の範囲】
【請求項１】
バネにて可動するＬ字状のスライド板をケースより露出するように設けて摺動表示体を収容した施錠確認表示装置。
【請求項２】
ケースの底に設けた凹部に遊動表示体を収容し、バネにて可動するスライド板に設けた穴が摺動により凹部と重合するようにした施錠確認表示装置。
【考案の詳細な説明】
【技術分野】
【０００１】  この考案は、外出後における玄関扉等の施錠忘れをその場で容易に確認できるような施錠確認表示装置に関する。
【背景技術】
【０００２】  従来の施錠状態を表示できる装置は様々なものが提案されているが複雑な構造であるため、装置自体が大きく、実用に耐えうるものではなかった。
【考案の開示】
【考案が解決しょうとする課題】
【０００３】  それには、次のような問題点があった。
電池や磁石、センサーを内蔵したり、部品の数が多く大きくなりキーケースに付けて他のキーと持ち合わせる時にかさばり、手軽に実用化できるものではない。
本考案は以上の問題点を解決するために可能な限りシンプルになされたものである。
【課題を解決するための手段】
【０００４】  横孔式シリンダータイプと縦孔式シリンダータイプにより対応する構造が相違するので請求項別に説明する。
【０００５】請求項１は横孔式シリンダータイプで、バネにて可動するＬ字状のスライド板をケースより露出するように設けて遊動表示体を収容したことを特徴としている。
【０００６】請求項２は、縦孔式シリンダータイプで、ケースの底に設けた凹部に遊動表示体を収容し、バネにて可動するスライド板に設けた穴が摺動により凹部と重合し遊動表示体が移動しうるようにしたことを特徴としている。
【考案の効果】
【０００７】空き巣盗難被害の大半は鍵かけ忘れであり、外出先で施錠したかどうか不安を覚える時があってもその場てすぐに確認することが可能となる。このため外出後に施錠したか否か不安になっても、確認のため家に引き返したり、不安のまま外出しなければならないと言う煩雑さや不安感が解消できる。またコンパクトのため鍵本体に孔を設けて本装置を直接埋め込むことができる。
【考案を実施するための最良の形態】
【０００９】本考案の特徴は遊動表示体を施錠、開錠方向に移動させて鍵の抜き取りにより固定する方法を採用している。従って横孔式の場合は遊動表示体は左右に縦孔式の場合は上下に移動するように構成している。
バネは実施例では弾性体のリングを使用しているが板バネ、スプリングでも差し支えない
【実施例１】
【００１０】横孔式シリンダータイプの請求項１の実施例を図面を参考にしながら説明する。
図１はケース内の構造を示す斜視図でケース１の端部にバネ２を、３はＬ字状のスライド板で遊動表示体５を収容しバネ２により可動するようにし端部が露出するようにケースに配置している。
これによりバネにより遊動表示体はスライド板のＬ字状部とケースの側部に挟着されて固定されている。【００１１】これを使用する時はケースの裏面に両面テープを施し、錠前ユニットに挿入完了位置から指定の長さをおいて鍵に直接貼着する。
これにより鍵を横孔に挿入すればスライド板３の露出部が押圧されてスライドし遊動表示体５はケース側部の挟着から解放されて遊動自在となるので鍵を施錠、開錠の方向に回せばスライド板も回転して垂直の状態になった場合遊動表示体は下方に移動する、鍵を抜いた際にはバネの反発力により復元して遊動表示体はＬ字状部より押圧されてケース側部とに挟着されて固定する、これにより遊動表示体を着色してケースカバーに表示窓を設けておけば遊動表示体の有無により施錠、開錠を容易に確認することができる。
【実施例２】
【００１２】縦孔式シリンダータイプの請求項２の実施例を図面を参考にしながら説明する
図２はケース内の構造を示す斜視図でケース１の端部にバネ２、７はケース底部に固着した固定板で穴４を設け遊動表示体５を収容しいる。３は固定板７より少し長いスライド板で両端部を下方に曲折してストッパーとし、固定板７に重ねてケースに収容している。スライド板３には固定板７の穴４と同形の穴６を設けてバネ２側からのスライド時には穴４と穴６は重ならず、他端部からの押圧により重合するようにしている。スライド板３はケースより端部が露出するように配置している。即ちスライド板を押圧するとストッパーにより正確に穴４と穴６が重なるようにしている。【００１３】これを使用する時はケースの裏面に両面テープを施し、錠前ユニットに挿入完了位置から指定の長さをおいて鍵に直接貼着する。
これにより鍵を縦孔に挿入すればスライド板３の露出部のストッパーが押圧されてスライドし穴６は穴４と重合して遊動表示体の移動が可能となるので鍵を施錠、開錠の方向に回せばケース本体も回転して水平となり遊動表示体は落下し移動する。鍵を抜いた際にはバネの反発力により復元してスライド板が摺動し穴４と穴６が隔離して遊動表示体は固定する。これにより遊動表示体を着色しておけば遊動表示体の有無により施錠、開錠を容易に確認することができる。
なお遊動表示体を細い金属線としており穴の形状を傾斜状にしたのはスライドは穴の横幅だけずらすだけで重合、隔離するのでコンパクトにできる。またスライドは縦の鍵孔に鍵を出し入れする時でスライド板の垂直時であり遊動表示体の重力が先端にかかるようにして隣接の穴に倒れ込まないようにするためである。
【図面の簡単な説明】
【００１４】
【図１】本考案の横孔式タイプの構造を示す斜視図
【図２】本考案の縦孔式タイプの構造を示す斜視図
【図３】本考案の縦孔式タイプの分解斜視図
【符号の説明】
【００１５】  １  ケース
２  バネ（弾性体のリング）
３  スライド板
４  固定板の穴
５  遊動表示体
６  スライド板の穴
７  固定板
【図１】
0003134156.tif 000003
【図２】
0003134156.tif 000004
【図３】
0003134156.tif 000005
【手続補正書】
【提出日】平成19年5月16日(2007.5.16)
【手続補正１】
【補正対象書類名】実用新案登録請求の範囲
【補正対象項目名】全文
【補正方法】変更
【補正の内容】
【実用新案登録請求の範囲】
【請求項１】
Ｌ字状のスライド板の上部に任意の形状の遊動表示体を配置しスライド板の端部がケース側部より露出させてケースに収容し、スライド板のＬ字状部とケース側部とで遊動表示体を挟着、解放のためのバネをスライド板の頭部に設けた施錠確認表示装置。
【請求項２】
ケース底部の固定板にスライド板の穴と同じ穴を設けて線状の遊動表示体を収容しスライド方向に対して角度を付けた傾斜状の長方形の穴とストッパーを設けた固定板より少し長いスライド板を固定板に重ね端部を露出させてケースに収容し２つの穴が重合と隔離するためのバネをスライド板の頭部に設けた施錠確認表示装置。
【手続補正書】
【提出日】平成19年5月16日(2007.5.16)
【手続補正１】
【補正対象書類名】明細書
【補正対象項目名】０００５
【補正方法】変更
【補正の内容】
【０００５】請求項１は横孔式シリンダータイプでＬ字状のスライド板の上部に遊動表示体を配置しスライド板の端部がケース側部より露出させてケースに収容し、スライド板のＬ字状部とケース側部とで遊動表示体を挟着、解放のためのバネをスライド板の頭部に設けた手段を講じたものである。
【手続補正２】
【補正対象書類名】明細書
【補正対象項目名】０００６
【補正方法】変更
【補正の内容】
【０００６】請求項２は縦孔式シリンダータイプでケース底部の固定板にスライド板の穴と同じ穴を設けて線状の遊動表示体を収容しスライド方向に対して角度を付けた傾斜状の長方形の穴とストッパーを設けた固定板より少し長いスライド板を固定板に重ね端部を露出させてケースに収容し２つの穴が重合と隔離するためのバネをスライド板の頭部に設けた手段を講じたものである。
【手続補正３】
【補正対象書類名】明細書
【補正対象項目名】００１２
【補正方法】変更
【補正の内容】
【００１２】縦孔式シリンダータイプの請求項２の実施例を図面を参考にしながら説明する
図２はケース内の構造を示す斜視図でケース１の端部にバネ２、７はケース底部に固着した固定板で穴４を設け遊動表示体５を収容しいる。８は固定板７より少し長いスライド板でストッパーを設け、固定板７に重ねてケースに収容している。スライド板８には固定板７の穴４と同形の穴６を設けてバネ２側からのスライド時には穴４と穴６は重ならず、他端部からの押圧により重合するようにしている。スライド板８はケースより端部が露出するように配置している。即ちスライド板を押圧するとストッパーにより正確に穴４と穴６が重なるようにしている。
【手続補正４】
【補正対象書類名】明細書
【補正対象項目名】００１３
【補正方法】変更
【補正の内容】
【００１３】これを既製の鍵に使用する時はケースの裏面に両面テープを施し、錠前ユニットに挿入完了位置から指定の長さをおいて鍵に直接貼着する。
これにより鍵を縦孔に挿入すればスライド板８の露出部のストッパーが押圧されてスライドし穴６は穴４と重合して遊動表示体５の移動が可能となるので鍵を施錠、開錠の方向に回せばケース本体も回転して水平となり遊動表示体５は下の穴に落下し移動する。鍵を抜いた際にはバネ２の反発力により復元してスライド板が摺動し穴４と穴６が隔離し穴６は固定板７に塞がれて遊動表示体は移動不可能となる。これにより遊動表示体を着色しておけば透明のカバーより遊動表示体の有無により施錠、開錠を容易に確認することができる。なお遊動表示体を線状で穴を長方形とし向きを傾斜状にしたのはスライドは穴の横幅だけずらすだけで重合、隔離するのでコンパクトにできる。またスライドは縦の鍵孔に鍵を出し入れする時でスライド板の垂直時であり遊動表示体の重力が先端にかかるようにして隣接の穴に倒れ込まないようにするためである。
また鍵に加工し易い円形の孔を設けてケースの形状を円形に又は４角形と円形の２層にして直接埋め込めばよりスリムにすることができる。
【手続補正５】
【補正対象書類名】明細書
【補正対象項目名】００１４
【補正方法】変更
【補正の内容】
【００１４】
【図１】本考案の横孔式タイプの構造を示す斜視図
【図２】本考案の縦孔式タイプの構造を示す斜視図
【図３】本考案の縦孔式タイプの分解斜視図
【図４】本考案を鍵に取り付けた状態を示す斜視図
【図５】図２の穴の隔離の状態を示すＡ−Ａ線の断面図
【図６】図２の穴の重合の状態を示すＢ−Ｂ線の断面図
【手続補正６】
【補正対象書類名】明細書
【補正対象項目名】００１５
【補正方法】変更
【補正の内容】
【００１５】  １          ケース  （カバー省略）
２          バネ（弾性体のリング）
３          Ｌ字状のスライド板
４          固定板の穴
５          遊動表示体
６          スライド板の穴
７          固定板
８          ストッパーつきのスライド板
９          鍵
１０        請求項１の施錠表示装置
ａ          ストッパー
ｂ          表示窓
【手続補正７】
【補正対象書類名】図面
【補正対象項目名】全図
【補正方法】変更
【補正の内容】
【図１】
0003134156.tif 000006
【図２】
0003134156.tif 000007
【図３】
0003134156.tif 000008
【図４】
0003134156.tif 000009
【図５】
0003134156.tif 000010
【図６】
0003134156.tif 000011